(57)【要約】【課題】汚れにくく、使いやすい水栓を実現すること。【解決手段】吐水及び止水のための操作プレート５１が水栓本体１４のフランジ１７の上面に設けられるとともに、操作プレート５１の下側に吐水部２３が設けられる。操作プレート５１はフラット形状に形成されており、前記水栓本体１４及び操作プレート５１は吐水部２３側が下がるように前方側に傾斜されている。操作プレート５１の上面には、撥水処理が施されている。【選択図】図１
2018009411.tif 000002
【特許請求の範囲】
【請求項１】
吐水及び止水のための操作部が水栓本体の上面に設けられるとともに、その操作部の下側に吐水部が設けられ、前記操作部はフラット形状に形成されるとともに、前記吐水部側が下がるように傾斜されている水栓。
【請求項２】
前記操作部を平板状に形成した請求項１に記載の水栓。
【請求項３】
前記操作部の表面を防水処理した請求項１または２に記載の水栓。
【発明の詳細な説明】
【技術分野】
【０００１】
本発明は、水栓本体の上面に設けられた吐水及び止水の操作部をフラットな形状にした水栓に関するものである。
【背景技術】
【０００２】
特許文献１の第３図及び第４図には、水栓が設けられる水栓台座の前面を垂直平面に対して傾斜させた状態にして、水栓の栓軸線（操作ノブ）を上向きに傾斜させた構成が開示されている。この特許文献１の水栓では、栓軸線と垂直壁面との間の間隔が大きくなるため、その水栓の操作が容易になるとしている。
【先行技術文献】
【特許文献】
【０００３】
【特許文献１】実開昭５９−９２７７９号公報
【発明の概要】
【発明が解決しようとする課題】
【０００４】
特許文献１の水栓においては、吐水口が操作ノブである前記栓軸線から離れたところに独立して位置するため、水栓全体が大形化するだけではなく、使い難い。
さらに、前記栓軸線，すなわち操作ノブの操作部である外周面の形状が凹凸であるため、水滴が凹部内に残りやすく、その状態が継続されると、不潔になるおそれがある。そのため、清掃作業に手間がかかる。
【０００５】
本発明の目的は、使いやすい水栓を提供することにある。
【課題を解決するための手段】
【０００６】
上記の目的を達成するために、本発明においては、吐水及び止水のための操作部が水栓本体の上面に設けられるとともに、その操作部の下側に吐水部が設けられ、前記操作部はフラット形状に形成されるとともに、前記吐水部側が下がるように傾斜されていることを特徴とする。
【０００７】
以上の構成において、吐水部が操作部の下側に位置しているため、操作部を操作して、そのまま、吐水部からの水で手洗いをすることができ、使いやすい。また、操作部がフラット形状に形成されているとともに、吐水部側が下がるように傾斜されているため、操作部に付着した水は落下しやすく、その操作部は汚れにくい。よって、水栓を清潔に維持でき、清掃に手間がかかることを回避できる。
【発明の効果】
【０００８】
本発明によれば、使いやすい水栓を実現できるという効果を奏する。
【図面の簡単な説明】
【０００９】
【図１】実施形態の水栓を備えた手洗台の斜視図。
【図２】実施形態の水栓の断面図。
【図３】図２の３−３線断面図。
【図４】変更例の水栓の斜視図。
【図５】別の変更例の水栓の側面図。
【発明を実施するための形態】
【００１０】
以下に、本発明を具体化した実施形態を図面に従って説明する。
図１に示すように、シンク１１を有する手洗台１２の上面に、本実施形態の水栓１３が前（使用者側）下がりへの傾斜状態で設置されている。この水栓１３は以下のように構成されている。
【００１１】
図２及び図３に示すように、水栓本体１４の外周には同じく外筒１５が固定されており、この外筒１５の下端が手洗台１２の上面に近接または当接している。水栓本体１４の下端には、水道管（図示しない）に接続される接続部１６が突設されるとともに、上端には四角形（実施形態では正方形）のフランジ１７が形成されている。フランジ１７は、平行な一対の辺が水平に延びる向きで設置されるとともに、上面が水平面に対して２０〜６０度の範囲内で前下がりに形成されている。
【００１２】
水栓本体１４には、吐水路２１が貫通形成されており、その内端２２が水栓本体１４の内側空間に開口するとともに、外端２３がフランジ１７の下側の辺の端面に開口している。この外端２３の開口を吐水部２３とする。そして、この吐水部２３は、横長扁平状に形成されている。
【００１３】
水栓本体１４の内周面に雌ねじ部２４が形成され、この雌ねじ部２４には、筒状の弁ケース２５が外周の雄ネジ部２６において螺着されている。弁ケース２５の下端に形成したスカート部２７には、シールリング２８を介して水栓本体１４の内底面に当接する低円筒状の弁受け部材２９が固定されている。この弁受け部材２９の内側に前記接続部１６の上端が開口している。スカート部２７には、通水孔３０が透設されている。
【００１４】
前記スカート部２７内において、弁受け部材２９上には固定弁体３１が固定されており、この固定弁体３１には弁孔３２が透設されている。
前記弁ケース２５内には、弁軸４１がシールリング４２を介して回転可能に挿入されており、その下端には介装板４３を間に挟んで可動弁体４４が固定されている。可動弁体４４には、流路４５が形成されている。そして、弁軸４１の回転によって可動弁体４４が回転され、この可動弁体４４の回転により、流路４５が固定弁体３１の弁孔３２と連通する状態と、その連通が遮断される状態とに切換えられる。連通状態においては、接続部１６からの水道水が、前記弁受け部材２９内，弁孔３２，流路４５及び前記吐水路２１を通って吐水部２３から吐水される。また、連通状態においては、可動弁体４４の回転位置に応じて、吐水量が調節される。
【００１５】
前記フランジ１７の上面には、フランジ１７と同形同大で、上面が被操作面である操作プレート５１が設置され、その中心下面のボス部５２が止ねじ５３により弁軸４１に連結されている。従って、操作プレート５１は前下がりの傾斜状態に設置されていて、この操作プレート５１が正逆いずれかに回転されることにより、可動弁体４４が吐水位置または止水位置側に回転される。そして、操作プレート５１が、フランジ１７と外形が一致する位置に配置されたときに、止水される。また、操作プレート５１が図１の実線位置から２点鎖線位置に回転されると、可動弁体４４も吐水側に回転される。操作プレート５１の上面中心には、凹部５４が形成され、この凹部５４内に前記止ねじ５３の頭部５５が収容されている。凹部５４には、頭部５５を隠蔽するための蓋板５６が嵌合され、この蓋板５６の上面は操作プレート５１の上面と同一平面を形成している。蓋板５６及び操作プレート５１には、メンテナンスなどのために蓋板５６を外す際に、作業道具の挿入用として利用される切込み５７，５８が形成されている。
【００１６】
前記操作プレート５１及び蓋板５６の露出された表面には、防水処理としての撥水処理が施されている。この撥水処理としては、フッ素系樹脂やシリコーン系樹脂をコーティングしたり、それらの樹脂のシートを貼着したりすることにより得られる。また、防水処理として、操作プレート５１及び蓋板５６の上面に、クロームメッキなどの耐水性メッキを施したり、ステンレス板を貼着したりすることも採用可能である。
【００１７】
このように構成された本実施形態の水栓１３は、手洗いなどにおいて、以下のようにして使用される。
すなわち、吐水部２３から吐水する場合は、操作プレート５１の上面に手を当てて、一方向に回転させればよい。このようにすれば、弁軸４１を介して可動弁体４４が回転され、その可動弁体４４の回転量に従って、吐水部２３から操作プレート５１の操作量に応じた適量の吐水が実行され、手洗いを行うことができる。止水する場合は、操作プレート５１を吐水時の逆方向に回転させればよい。
【００１８】
本実施形態は以下の効果がある。
（１）操作プレート５１の上面に手を当てて回転させれば、吐水及び止水と吐水量調節とが可能になる。従って、レバー状のハンドルを把持して回転させる水栓と比較して、吐水及び止水と吐水量調節とが簡単になる。
【００１９】
（２）操作者の手によって操作される部分に凹凸が形成されていないため、水滴や汚れが付着し難く、清潔状態を維持できる。従って、清掃が不要になったり、清掃の頻度を少なくしたりできるため、清掃の手間を省くことができる。
【００２０】
（３）操作プレート５１を操作すれば、その操作プレート５１のすぐ下の横長の吐水部２３から広い幅にわたって吐水されるため、手洗いを簡単かつ適切に行なうことができる。
【００２１】
（４）水栓１３には、外筒１５の上部に板状のフランジ１７及び操作プレート５１が配置されているだけであるため、水栓１３は、シンプルな外観で、高い意匠性を得ることができる。
【００２２】
本発明は、前記実施形態に限定されるものではなく、以下のような態様で具体化することができる。
・図４に示すように、吐水部２３を円形に開口する形状にすること。この図４において、外筒１５は角筒状に形成されている。
【００２３】
・図５に示すように、操作プレート５１の上面を緩やかな球状や円弧状に膨らんだり、逆に緩やかな球状や円弧状に窪んだりする形状にすること。このような球状及び円弧状の形状はフラット形状に含まれるものとする。
【００２４】
・操作プレート５１に上面に、操作者の操作を検出して電気信号を発生する検出手段としての検出層を設け、その検出層からの電気信号に基づいて吐水及び止水のために開閉動作される電磁弁を設けること。従って、この構成においては、前記実施形態のような固定弁体３１及び可動弁体４４は設けられることがなく、回転操作される操作プレート５１も不要になる。
【００２５】
・操作プレート５１の上面に、操作プレート５１の操作方向を示す表示を付すこと。
・フランジ１７及び操作プレート５１の形状を、円形状，楕円形状，六角形状，八角形状，長方形状などの形状に変更すること。
【００２６】
・水栓本体１４や外筒１５を円筒状に形成すること。
・操作プレート５１の上面を鏡面仕上げして、鏡として使用できるようにすること。
・操作プレート５１の表面に抗菌処理を施すこと。
【００２７】
前記実施形態から把握される技術的思想は以下の通りである。
（Ａ）前記操作部は、回転可能に構成され、その操作部の回転により吐水及び止水が実行される請求項１〜３のうちのいずれか一項に記載の水栓。
【００２８】
（Ｂ）前記操作部は、操作者の操作を感知する検出手段を有し、その検出手段の検出に基づいて吐水及び止水される請求項１〜３のうちのいずれか一項に記載の水栓。
（Ｃ）水栓本体が平板状をなす前記技術的思想（Ａ）項または（Ｂ）項に記載の水栓。
【００２９】
（Ｄ）前記操作部は、その下部の水栓本体と合致する形状である請求項１〜３のうちのいずれか一項に記載の水栓。
（Ｅ）前記吐水部が扁平幅広状である前記技術的思想（Ｃ）項または（Ｄ）項に記載の水栓。
【００３０】
（Ｆ）前記防水処理は、撥水処理である請求項３に記載の水栓。
【符号の説明】
【００３１】
１３…水栓、１４…水栓本体、２３…吐水部、３１…固定弁体、４４…可動弁体、５１…操作プレート。
【図１】
2018009411.tif 000003
【図２】
2018009411.tif 000004
【図３】
2018009411.tif 000005
【図４】
2018009411.tif 000006
【図５】
2018009411.tif 000007